(57)【要約】      （修正有）【課題】付け毛を髪の毛に留めるための留め具を大きくする必要がなく、小さな人形であっても付け毛を付けた状態に不自然さをユーザーに感じさせないヘアーエクステンションセットを提供する。【解決手段】ヘアーエクステンションセットＡは付け毛１と、付け毛１を人形の頭髪に留める留め具２と、留め具２を人形の頭髪に固定する固定装置３とから構成される。付け毛１には係合部材６を設け、留め具２は人形の頭髪と係合部材６とを一体で挟持する一対の挟持板からなり、挟持板には係合部材６に係合する係合部を設け、人形の頭髪と係合部材６とを挟持した状態を維持する維持手段を設ける。固定装置３は、留め具２を載置する載置部と、載置した留め具２を上面から押圧し、維持手段を機能させて人形の頭髪と係合部材６とを挟持させる押圧部３１とを備えた。【選択図】図１
0003160158.tif 000002
【実用新案登録請求の範囲】
【請求項１】
人形の頭髪に付け毛を装着する、以下の要件を備えることを特徴とするヘアーエクステンションセット。
（イ）上記ヘアーエクステンションセットは付け毛と、該付け毛を人形の頭髪の一部に留める留め具と、該留め具を頭髪に固定する固定装置とから構成されていること
（ロ）上記付け毛の一端には上記留め具に係合する係合部材を設けたこと
（ハ）上記留め具は上記人形の頭髪と上記付け毛の係合部材とを一体で挟持する一対の挟持板で構成され、該挟持板の対向面の少なくとも一方には上記付け毛の係合部材に係合する係合部を設けたこと
（二）上記留め具は上記人形の頭髪と上記付け毛の係合部材とを挟持した状態を維持する維持手段を備えたこと
（ホ）上記固定装置は、上記留め具を載置する載置部と、該載置部に載置した留め具を上面から押圧し、上記維持手段を機能させて上記人形の頭髪と上記付け毛の係合部材とを挟持する押圧部とを備えたこと
【請求項２】
前記付け毛の係合部材を環状に形成するとともに、前記留め具の係合部を２つの突起部で構成し、該２つの突起部の対向面には係合凹部をそれぞれ形成した、請求項１記載のヘアーエクステンションセット。
【請求項３】
前記留め具を構成する一対の挟持板は一端がヒンジ部で開閉可能に連結され、他端には前記維持手段を備えた、請求項１記載のヘアーエクステンションセット。
【請求項４】
前記固定装置は、前記載置台をアームの一端に設けた下部材と、前記押圧部をアームの一端に設けた上部材とからなり、該下部材と上部材とは上記アーム同士が開閉方向に回動するように連結されるとともに、付勢部材で開放方向に付勢されている、請求項１記載のヘアーエクステンションセット。
【請求項５】
前記固定装置には前記留め具に保持させる頭髪の量の目安をつける計測部を設けた、請求項１又は４記載のヘアーエクステンションセット。
【考案の詳細な説明】
【技術分野】
【０００１】
本考案は、ヘアーエクステンションセット、詳しくは人形具の頭髪に付け毛を取り付けるヘアーエクステンションセットに関するものである。
【背景技術】
【０００２】
従来、人形の頭髪に付け毛をワンタッチで取り付けることができるヘアーピース組み立体が提案されている（例えば、特許文献１）。このヘアーピース組立体は、クリップと、このクリップに取り付けられるヘアーピースおよびアクセサリーからなり、クリップはバネによって閉じられる一対のクリップ片で開閉操作できるように形成され、ヘアーピースのホルダーは一対のクリップ変の間に取り付けられたもので、人形の髪にクリップでヘアーピースを止められるようにしたものである
【先行技術文献】
【特許文献】
【０００３】
【特許文献１】登録実用新案第３０５７４４９号公報
【考案の概要】
【考案が解決しようとする課題】
【０００４】
本考案が解決しようとする問題点は、上述のヘアーピース組立て体は、クリップを頭髪を挟むようにして取り付ければ、髪の毛にヘアーピースを簡単に取り付けることができるが、バネに抗してクリップを開き操作しなければなければならないことからクリップはある程度の大きさが要求される為、小さな人形に適用した場合は人形の頭部に対して大きくなり、取付後の状態は不自然になる問題があった。
【０００５】
本考案は、上記問題点を解決し、付け毛を髪の毛に留めるための留め具を大きくする必要がなく、小さな人形であっても付け毛を付けた状態に不自然さをユーザーに感じさせないヘアーエクステンションセットを提供することを課題とする。
【課題を解決するための手段】
【０００６】
前記課題を解決するために本考案に係るヘアーエクステンションセットは、人形の頭髪に付け毛を装着する、以下の要件を備えることを特徴とする。
（イ）上記ヘアーエクステンションセットは付け毛と、該付け毛を人形の頭髪の一部に留める留め具と、該留め具を頭髪に固定する固定装置とから構成されていること
（ロ）上記付け毛の一端には上記留め具に係合する係合部材を設けたこと
（ハ）上記留め具は上記人形の頭髪と上記付け毛の係合部材とを一体で挟持する一対の挟持板で構成され、該挟持板の対向面の少なくとも一方には上記付け毛の係合部材に係合する係合部を設けたこと
（二）上記留め具は上記人形の頭髪と上記付け毛の係合部材とを挟持した状態を維持する維持手段を備えたこと
（ホ）上記固定装置は、上記留め具を載置する載置部と、該載置部に載置した留め具を上面から押圧し、上記維持手段を機能させて上記人形の頭髪と上記付け毛の係合部材とを挟持する押圧部とを備えたこと
【０００７】
なお、前記付け毛の係合部材を環状に形成するとともに、前記留め具の係合部を２つの突起部で構成し、該２つの突起部の対向面には係合凹部をそれぞれ形成し、係合部に係合させた係合部材が容易に外れないようにすることが好ましい。
【０００８】
そして、前記留め具を構成する一対の挟持板は一端がヒンジ部で開閉可能に連結され、他端には前記維持手段を備え、留め具を閉じたときには閉じた状態が維持できるようにすればよい。
【０００９】
そして、前記固定装置は、前記載置台をアームの一端に設けた下部材と、前記押圧部をアームの一端に設けた上部材とからなり、該下部材と上部材とは上記アーム同士が開閉方向に回動するように連結されるとともに、付勢部材で開放方向に付勢されていことが好ましい。
【００１０】
さらに、前記固定装置には前記留め具に保持させる頭髪の量の目安をつける計測部を設け、適切な量の頭髪に付け毛を付けられるようにすればよい。
【考案の効果】
【００１１】
請求項１の考案によれば、付け毛は留め具に取り付け、この留め具を一つの挟持板で構成し、固定装置で人形の頭髪に付け毛と頭髪とを挟持する状態で固定するようにしたので、留め具の大きさを最大限小型化することができ、小さな人形であっても付け毛を付けた状態に不自然さを感じさせないヘアーエクステンションセットを提供することができる。
【００１２】
請求項２の考案によれば、付け毛の係合部材を留め具の係合部を構成する２つの突起部の間の係合凹部内に押し込めば、一旦係合部に係合した係合部材は簡単には留め具から外れないので、付け毛を頭髪に取り付ける作業中に付け毛が留め具から外れる心配がなく取り付け作業ができる。
【００１３】
請求項３の考案によれば、一対の挟持板は一端がヒンジ部で開閉可能に連結され、他端には維持手段を設けたので、一部材で構成されているため部材のコストダウンと製造工程の作業の簡素化が図れる。
【００１４】
請求項４の考案によれば、下部材のアームの一端に留め具を載置する載置部を設け、上部材のアームの一端に留め具を押圧する押圧部を設け該下部材と上部材とは上記アーム同士が開閉方向に回動するように連結されるとともに、付勢部材で開放方向に付勢したので、留め具のセットが容易になるとともに、アームを閉じる簡単な操作で留め具を人形の頭髪に固定することができる。
【００１５】
請求項５の考案によれば、適切な量の頭髪を留め具にセットすることができるので、頭髪が少なすぎて一旦頭髪に留めた留め具が頭髪から抜けることがないし、頭髪が多すぎて留め具が頭髪に留められないトラブルが発生することがない。
【図面の簡単な説明】
【００１６】
【図１】本考案に係るヘアーエクステンションセットの構成を示す斜視図
【図２】（ａ）（ｂ）は留め具の外側面と挟持面との構造を説明する斜視図
【図３】（ａ）〜（ｄ）は留め具に付け毛を取り付ける状態を説明する留め具の要部端面図
【図４】（ａ）〜（ｃ）は留め具の維持手段を説明する側面図
【図５】固定装置の構成を説明する分解斜視図
【図６】固定装置に留め具をセットした状態を説明する斜視図
【図７】固定装置に留め具と人形の頭髪をセットした状態の説明図
【図８】固定装置を操作して人形の頭髪に留め具を留める作業の説明図
【図９】人形の頭髪に留め具で付け毛を留めた状態の説明図
【図１０】留め具の他の例を説明する斜視図
【考案を実施するための形態】
【００１７】
図１は、本考案に係るヘアーエクステンションセットＡの一例を示し、このヘアーエクステンションセットＡは人形の頭髪に取り付ける付け毛１と、この付け毛１を人形の頭髪に留める留め具２と、この留め具２を人形の頭髪に固定する固定装置３とから構成されている。
【００１８】
付け毛１は人形の頭髪と同様の素材で糸状に形成された毛髪材５を束ねて係合部材６を通してから折り返し、折り返し部分を図示しない線材で纏めて係合部材６に毛髪材５を取り付けたもので、この係合部材６は金属や樹脂でリング状に形成され、後述する留め具２の係合部１０に取り付けることができるようになっている。
【００１９】
なお、この付け毛１の毛髪材５はストレートである必要はなくチヂレやカールしていてもよいし、人形の頭髪と同じ色でなくてもよく、様々な形状や色の付け毛１を用意して、自由に選択することができるように複数用意すればよい。
【００２０】
留め具２は、図２（ａ）、（ｂ）に示すように、樹脂製で一対の挟持板７、８の一端をヒンジ９で連結し、ヒンジ９を支点にして折り返し、挟持板７、８を重ね合わせることにより人形の頭髪と付け毛１の係合部材６とを挟持することができるように射出成形で一体成形したもので、一方の挟持板（以下、第１の挟持板という）７の挟持面には長手方向に直交して２つの突起部１０ａ、１０ｂからなる係合部１０が形成され、この突起部１０ａ、１０ｂの対向面にはそれぞれ係合凹部１１が形成されている。なお、突起部１０ａ、１０ｂ間のスペースａは上記係合部材６の断面の太さよりもやや狭く形成されていればよい。
【００２１】
上記係合凹部１１は、上述した係合部材６を、図３（ａ）に示すように、立てた状態にして突起部１０ａ、１０ｂ間のスペースａから突起部１０ａ、１０を左右に押し広げながら（図３（ｂ）参照）押し込み、図３（ｃ）に示すように、係合凹部１１で形成された空間ｂ内に押し込み、図３（ｄ）に示すように、横に倒すと係合部材６が係合凹部１１の形成する空間ｂに収まり係合部材６は係合部１０に取り付けられた状態になる。一旦取り付けた係合部材６は太さが突起部１０ａ、１０ｂのスペースａよりやや太いので係合部材６は係合部１０からは容易には外れることがないため付け毛１が留め具２から外れることを心配しながら作業をする必要がないようになっている。
【００２２】
そして、上記第１の挟持板７は先端が上方に略直角に曲折し、この曲折部１２には維持手段１３の一方を構成する係合穴１３ａが形成されている。
【００２３】
他方の挟持板（以下、第２の挟持板という）８の挟持面には長手方向に複数（本実施例では４本）の係合凸部１４が形成され、先端は後方に向かって維持手段１３の他方を構成する係合片１３ｂが突出して形成され、外側面にはハートを模したアクセサリー１５が形成されている。上記係合片１３ｂは、図４（ａ）に示すように、第２の挟持板８をヒンジ９を支点に折り返して第１の挟持板７に押し付けたとき、第１の挟持板７の係合穴１３ａに係合し、重合した状態を維持できるようにしている（図４（ｂ）参照）。この重合状態を解除するときは、曲折部１２の上端を前方に押圧して、図４（ｃ）に示すように、曲折部１２を前方に撓ませれば係合穴１３ａと係合片１３ｂとの係合は解除することができるようになっている。
【００２４】
固定装置３は下部材２０と上部材２１とで構成され、支軸２２に軸支されて上下方向に回動可能に連結されているもので、下部材２０と上部材２１とを貫通した支軸２２の先端にはワッシャー２３を嵌合させ、支軸２２が抜けないようにしている。そして下部材２０と上部材２１とは支軸２２を中心にスプリング２４で常に開放方向に回動するように付勢されている。
【００２５】
上記下部材２０のアーム２０ａの前部には上記留め具２を載置する載置部２５が設けられ、アーム２０ａの先端には前方に突出して膨出部２６が形成されている。この膨出部２５には長手方向に直交して略Ｕ字状の凹溝からなる計測部２７が形成されている。この計測部２７は人形の頭髪に付け毛１を取り付ける際、頭髪の適切な量の目安をつけるためのもので、予めこの計測部２７に収まる程度の頭髪の量であれば、付け毛１を頭髪に確実に取り付けることができるようにしたもので、少なすぎれば留め具２から頭髪が抜けてしまう恐れがあり、多すぎれば留め具２の係合片１３ｂを係合穴１３ａに係合させることができない恐れがあり、いずれの場合も付け毛１を人形の頭髪に係留させることができない恐れがあるので、そのようなことが起きないように頭髪の適切な量の目安を付けることができるようにしている。
【００２６】
なお、符号２９は上部材２１の係合板３２が背面側から当接することにより上部材２１の回動量を制限するリミッター、符号３０は頭髪に付け毛１を付ける際、固定装置３から外に出る部分の頭髪と付け毛１を案内する案内溝である。
【００２７】
一方、上部材２１は支軸２２を介して下部材２０に対し上下方向に回動可能に連結され、スプリング２４で上方に付勢されて常に下部材２０の載置部２５を開放している。この上部材２１のアーム２１ａの前部下側面には押圧部３１が下方に突出して形成され、中央付近には下部材２０のリミッター２９に係合する係合板３２が形成され、スプリング２４に抗してアーム２１ａを下方に回動させたときには、押圧部３１は載置部２５に載置した留め具２の第２の挟持板８の上面に当接してこれを下方に押し下げ、頭髪と付け毛１を挟着した状態で第２の挟持板８に形成された係合片１３ｂを第１の挟持板７の係合穴１３ａに係合させて重合状態を維持させることができるようにしている。
【００２８】
さらに、側面にはキャップ３３の背面に形成された嵌合凸部３４に嵌合する嵌合凹部３５を設けたキャップ取付部３６が形成され、キャップ３３を上部材２１に取り付けることにより支軸２２の先端やワッシャー２３が外から見えないようにしている。
【００２９】
次に、上記付け毛玩具セットの使用態様について説明する。先ず、着けたい付け毛１を選択し、選択した付け毛１を留め具２に取り付ける。この際上述したように、係合部材６を図３（ａ）に示すように、立てた状態にして、突起部１０ａ、１０ｂを左右に押し退けながら（図３（ｂ）参照）突起部１０ａ、１０ｂ間に押し込み、図３（ｃ）に示すように、係合凹部１１で形成した空間ｂ内に押し込んだら、図３（ｄ）に示すように、横に倒せばよい。この状態では一旦取り付けた取付部材６は留め具２からは容易には外れることがないので付け毛１が留め具２から外れることを心配する必要はない。
【００３０】
そして、付け毛１を取り付けた留め具２を固定装置３の載置部２５に収容するが、この際、第１の挟持板７が載置部２５に収まるようにセットすればよい（図６参照）。次に、付け毛１を付けたい場所の人形Ｄの頭髪ｄを摘んで、固定装置３のアーム２０ａの先端にある計測部２７で適量の頭髪ｄを選択した後、図７に示すように、留め具２の第１の挟持板７の上にセットする。この時、固定装置３の外側に位置する頭髪ｄ、毛髪材５は載置部２５の外側にある案内溝３０からアーム２０ａの外側に引き出せばよい。
【００３１】
固定装置３に付け毛１と頭髪ｄとをセットしたら、固定装置３を片手で握って、図８に示すように、親指でアーム２１ａを押し下げて押圧部３１で第２の挟持板８の係合片１３ｂが第１の挟持板７の係合穴１３ａに係合するまで押し下げると、第２の挟持板８に設けた係合凸部１４が頭髪ｄに係合して留め具２が頭髪ｄに留められるとともに、維持手段１３が機能して付け毛１と頭髪ｄとを第１の挟持板７と第２の挟持板８とで挟持した状態が維持される。
【００３２】
留め具２が人形Ｄの頭髪ｄに固定されたならば、図９に示すように、付け毛１が人形Ｄの頭髪ｄに取り付けられた状態になるので、小さな留め具２でありながら付け毛１を頭髪ｄに留められるとともに、アクセサリー１５を備えているので、単に付け毛１を頭髪に取り付けるだけではなくコンパクトでありながら所謂エクステンションを楽しむことができる。
【００３３】
なお、留め具２に設けたアクセサリー１５は図示しないが星の形であってもよいし、宝石やリボン、動物の顔など、女の子が興味を示すものであればハートの形に限定されるものではない。
【００３４】
そして、図１０に示すように、アクセサリー１５を留め具２に着脱できるようにしてもよい。この場合、アクセサリー１５の裏面に嵌合凸部１６を突出して形成し、留め具２の第２の挟持板８にはアクセサリー１５の裏面に形成した嵌合凸部１６に嵌合する嵌合孔１７を形成し、嵌合凸部１６を嵌合孔１７に嵌脱することにより、アクセサリー１５を留め具２に着脱することができる。このように構成した場合は選んだアクセサリー１５の嵌合凸部１６を嵌合孔１７に嵌合させることにより、アクセサリー１５を留め具２に取り付けることができるので、好みのアクセサリー１５を備えた留め具２を実現することができる。
【００３５】
そしてアクセサリー１５が髪飾りに見えるので、付け毛の取り付け位置がカモフラージュされて、自然なヘアーエクステンションが実現できるし、図示しないが三つ編みの付け毛であれば、頭髪の一部を三つ編みにしたように見せることもできるし、色の付いた付け毛であれば所謂メッシュを施したようにも見せることができる。
【００３６】
また、上述のヘアーエクステンションセットＡは人形Ｄの頭髪ｄに付け毛１を付ける場合を説明したが、所謂ヘアーエクステンションとして子供の頭髪に付け毛を付けるセットとして使用することや、女性の頭髪に遊び心でヘアーエクステンションをすることも可能であり、その利用範囲は玩具に限定されるものではない。
【符号の説明】
【００３７】
１    付け毛
２    留め具
３    固定装置
６    係合部材
７    挟持板（第１の挟持板）
８    挟持板（第２の挟持板）
１０    係合部
１３    維持手段
２５    載置部
３１    押圧部
Ａ    ヘアーエクステンションセット
【図１】
0003160158.tif 000003
【図２】
0003160158.tif 000004
【図３】
0003160158.tif 000005
【図４】
0003160158.tif 000006
【図５】
0003160158.tif 000007
【図６】
0003160158.tif 000008
【図７】
0003160158.tif 000009
【図８】
0003160158.tif 000010
【図９】
0003160158.tif 000011
【図１０】
0003160158.tif 000012
【手続補正書】
【提出日】平成22年4月2日(2010.4.2)
【手続補正１】
【補正対象書類名】実用新案登録請求の範囲
【補正対象項目名】請求項４
【補正方法】変更
【補正の内容】
【請求項４】
前記固定装置は、前記載置部をアームの一端に設けた下部材と、前記押圧部をアームの一端に設けた上部材とからなり、該下部材と上部材とは上記アーム同士が開閉方向に回動するように連結されるとともに、付勢部材で開放方向に付勢されている、請求項１記載のヘアーエクステンションセット。
【手続補正２】
【補正対象書類名】明細書
【補正対象項目名】０００９
【補正方法】変更
【補正の内容】
【０００９】
そして、前記固定装置は、前記載置部をアームの一端に設けた下部材と、前記押圧部をアームの一端に設けた上部材とからなり、該下部材と上部材とは上記アーム同士が開閉方向に回動するように連結されるとともに、付勢部材で開放方向に付勢されていことが好ましい。